(57)【要約】【課題】  地面に対する支持強度を高め、ブロック壁を支持する際の安定性の向上を図ったブロック壁の転倒防止杭及びブロック壁の構築方法を提供する。【解決手段】  地面から水平方向及び垂直方向に複数のブロック５０が列設されて形成されるブロック壁Ｈを支持してブロック壁Ｈの転倒を防止するブロック壁の転倒防止杭Ｋにおいて、地中に打ち込まれて埋設される埋設部材１と、埋設部材１に連結手段を介して連結されブロック５０内に挿通される支持筋３０とを備え、埋設部材１を、棒状に形成され地中に打ち込まれる打込筋１０と、打込筋１０の外側面に打込筋１０の中心軸を中心に放射状に突設された複数のフィン２０とを備えて構成した。【選択図】図１
2009203692.tif 000002
【特許請求の範囲】
【請求項１】
地面から水平方向及び垂直方向に複数のブロックが列設されて形成されるブロック壁を支持して該ブロック壁の転倒を防止するブロック壁の転倒防止杭において、
地中に打ち込まれて埋設される埋設部材と、該埋設部材に連結手段を介して連結され上記ブロック内に挿通される支持筋とを備え、上記埋設部材を、棒状に形成され地中に打ち込まれる打込筋と、該打込筋の上端側の外側面に該打込筋の中心軸を中心に放射状に突設された複数のフィンとを備えて構成したことを特徴とするブロック壁の転倒防止杭。
【請求項２】
上記連結手段を、上記打込筋の上端部に形成された雌ネジと、上記支持筋の下端に形成され上記打込筋の雌ネジに螺合する雄ネジとで構成したことを特徴とする請求項１記載のブロック壁の転倒防止杭。
【請求項３】
地面に垂直方向に貫通する縦凹所を有した複数のブロックを水平方向及び垂直方向に列設するとともに各ブロックをモルタルを介して結着してブロック壁を構築するブロック壁の構築方法において、
地中に打ち込まれて埋設される埋設部材と、該埋設部材に連結手段を介して連結され上記ブロック内に挿通される支持筋とを備え、上記埋設部材を、棒状に形成され地中に打ち込まれる打込筋と、該打込筋の上端側の外側面に該打込筋の中心軸を中心に放射状に突設された複数のフィンとを備えて構成した転倒防止杭を複数用い、
先ず、各転倒防止杭の埋設部材を、構築に係るブロック壁の下面に沿うように所定間隔で地面に打ち込んで地中に埋設し、次に、各埋設部材に支持筋を連結し、それから、構築に係るブロック壁の下面に沿うように地面に所定厚さのモルタルを敷設して基礎を形成し、次に、上記複数のブロックを該ブロックの縦凹所に上記転倒防止杭の支持筋を挿通させて列設し、その後、支持筋が挿通された縦凹所にモルタルを充填することを特徴とするブロック壁の構築方法。
【請求項４】
上記支持筋に補助筋を連設し、それから、上記複数のブロックを該ブロックの縦凹所に上記補助筋を挿通させて列設し、その後、該補助筋が挿通された縦凹所にモルタルを充填することを特徴とする請求項３記載のブロック壁の構築方法。
【請求項５】
上記ブロック壁の途中に水平方向に貫通する横凹所を有したブロックを水平方向に列設し、該横凹所の列に、横筋を配設して、該横筋を上記支持筋に固着したことを特徴とする請求項３または４記載のブロック壁の構築方法。
【発明の詳細な説明】
【技術分野】
【０００１】
本発明は、地面に打ち込んで用いられ地面から水平方向及び垂直方向に複数のブロックが列設されて形成されるブロック壁の転倒を防止するブロック壁の転倒防止杭及びこのブロック壁の転倒防止杭を用いたブロック壁の構築方法に関する。
【背景技術】
【０００２】
従来、この種のブロック壁の転倒防止杭及びブロック壁の構築方法としては、例えば、特許文献１（特開平６−３１６９０９号公報）に記載されたものが知られている。
図１０に示すように、このブロック壁の転倒防止杭Ｋａは、棒状に形成された鉄筋で構成され、下端部が地面に打ち込まれて埋設され、上端部がブロック１００内に挿通されるものである。また、ブロック壁Ｈａを構成するブロック１００は、地面に垂直方向に貫通する縦凹所１１０を有して形成されている。
【０００３】
このブロック壁の転倒防止杭Ｋａ及びブロック１００を用いて、ブロック壁Ｈａを構築するときは、先ず、転倒防止杭Ｋａの下端部を地面に打ち込んで埋設する。この転倒防止杭Ｋａを所定間隔で複数本打ち込んで埋設する。そして、埋設された転倒防止杭Ｋａに、その上端部からブロック１００の縦凹所１１０を挿通させながら、地面に対して水平方向及び垂直方向にブロック１００を複数列設する。そして、最上層に位置されるブロック１００の縦凹所１１０からモルタルＭａを充填する。このモルタルＭａによって各ブロック１００が結着され、ブロック壁Ｈａが構築される。
【０００４】
【特許文献１】特開平６−３１６９０９号公報
【発明の開示】
【発明が解決しようとする課題】
【０００５】
しかしながら、この従来のブロック壁の転倒防止杭Ｋａ及びブロック壁Ｈａの構築方法においては、転倒防止杭Ｋａが棒状に形成されているので、地面に対する支持強度が低く、そのため、ブロック壁Ｈａを支持する際の安定性に劣るという問題があった。
【０００６】
本発明は、このような問題点に鑑みてなされたもので、地面に対する支持強度を高め、ブロック壁を支持する際の安定性の向上を図ったブロック壁の転倒防止杭及びこの転倒防止杭を用いたブロック壁の構築方法を提供することを目的とする。
【課題を解決するための手段】
【０００７】
このような目的を達成するため、本発明のブロック壁の転倒防止杭は、地面から水平方向及び垂直方向に複数のブロックが列設されて形成されるブロック壁を支持して該ブロック壁の転倒を防止するブロック壁の転倒防止杭において、地中に打ち込まれて埋設される埋設部材と、該埋設部材に連結手段を介して連結され上記ブロック内に挿通される支持筋とを備え、上記埋設部材を、棒状に形成され地中に打ち込まれる打込筋と、該打込筋の上端側の外側面に該打込筋の中心軸を中心に放射状に突設された複数のフィンとを備えた構成としている。
【０００８】
これにより、転倒防止杭でブロック壁を支持するときは、先ず、埋設部材の打込筋とフィンとを地中に打ち込んで埋設し、次に、この埋設部材に支持筋を連結する。尚、予め、支持筋を埋設部材に連結した状態で埋設部材を打ち込むようにしても良い。そして、この埋設部材に連結されている支持筋に、その上端部からブロックを挿通させながら、地面に対して水平方向及び垂直方向にブロックを複数列設する。この状態においては、埋設部材は、打込筋の中心軸を中心に放射状のフィンを備えているので、埋設部材が中心軸を中心に回転することがなく、また、フィンの抵抗により傾きにくく、地面に対する支持強度が向上させられる。そのため、この埋設部材に連結された支持筋も埋設部材の抵抗により傾きにくくなっており、地面に対して強固に固定されることになるので、それだけ、ブロック壁を支持する際の安定性を向上させることができる。即ち、複数のブロックで形成されたブロック壁が転倒しようとしても、転倒防止杭の支持強度が高いので、ブロック壁の転倒が確実に防止される。
【０００９】
そして、必要に応じ、上記連結手段を、上記打込筋の上端部に形成された雌ネジと、上記支持筋の下端に形成され上記打込筋の雌ネジに螺合する雄ネジとで構成している。これにより、打込筋と支持筋との連結を容易に行なうことができるようになる。また、打込筋と支持筋とを着脱可能にすることができるので、埋設部材を地中に打ち込んでから支持筋を打込筋に連結させることができ、それだけ、転倒防止杭の地面への立設が容易になり、作業性が向上させられる。
【００１０】
また、上記目的を達成するため、本発明のブロック壁の構築方法は、地面に垂直方向に貫通する縦凹所を有した複数のブロックを水平方向及び垂直方向に列設するとともに各ブロックをモルタルを介して結着してブロック壁を構築するブロック壁の構築方法において、地中に打ち込まれて埋設される埋設部材と、該埋設部材に連結手段を介して連結され上記ブロック内に挿通される支持筋とを備え、上記埋設部材を、棒状に形成され地中に打ち込まれる打込筋と、該打込筋の上端側の外側面に該打込筋の中心軸を中心に放射状に突設された複数のフィンとを備えて構成した転倒防止杭を複数用い、先ず、各転倒防止杭の埋設部材を、構築に係るブロック壁の下面に沿うように所定間隔で地面に打ち込んで地中に埋設し、次に、各埋設部材に支持筋を連結し、それから、構築に係るブロック壁の下面に沿うように地面に所定厚さのモルタルを敷設して基礎を形成し、次に、上記複数のブロックを該ブロックの縦凹所に上記転倒防止杭の支持筋を挿通させて列設し、その後、支持筋が挿通された縦凹所にモルタルを充填する構成としている。
【００１１】
これにより、ブロック壁を構築するときは、複数の転倒防止杭を地面に立設し、この各転倒防止杭に全てのブロックを挿通するとともに各ブロックをモルタルを介して結着して各ブロックを水平方向及び垂直方向に列設し、その後、支持筋が挿通された縦凹所にモルタルを充填して構築する。この場合、埋設部材を地中に打ち込んでから支持筋を打込筋に連結させるので、転倒防止杭の地面への立設が容易になる。また、埋設部材は、打込筋の中心軸を中心に放射状のフィンを備えているので、埋設部材が中心軸を中心に回転することがなく、また、フィンの抵抗により傾きにくく、地面に対する支持強度が向上させられる。そのため、この埋設部材に連結された支持筋も埋設部材の抵抗により傾きにくくなっており、地面に対して強固に固定されることになるので、それだけ、ブロック壁を支持する際の安定性を向上させることができる。即ち、複数のブロックで形成されたブロック壁が転倒しようとしても、転倒防止杭の支持強度が高いので、ブロック壁の転倒が確実に防止される。
【００１２】
また、複数のブロックで形成されたブロック壁は、全てのブロックがモルタルによって結着されているので、転倒防止杭と相俟って、ブロック壁に衝撃が加えられても崩れることがない。更に、縦凹所にモルタルが充填されるので、支持筋とブロックとをモルタルを介して結着させることができ、そのため、転倒防止杭とブロックとの結合強度が高く、この点でも、ブロック壁の転倒を確実に防止することができる。
【００１３】
更に、必要に応じ、上記支持筋に補助筋を連設し、それから、上記複数のブロックを該ブロックの縦凹所に補助筋を挿通させて列設し、その後、該補助筋が挿通された縦凹所にモルタルを充填する構成としている。これにより、補助筋が支持筋と同様の作用をするので、支持筋の長さよりも高く複数のブロックを垂直方向に列設する場合においても、各ブロックを確実に支持することができる。
【００１４】
更にまた、必要に応じ、上記ブロック壁の途中に水平方向に貫通する横凹所を有したブロックを水平方向に列設し、該横凹所の列に、横筋を配設して、該横筋を上記支持筋に固着した構成としている。これにより、各ブロックの結着がより強固になる。また、横筋を支持筋に固着させることにより、横筋が支持筋に支持されるようになるので、より一層ブロック壁の強度が向上させられる。
【発明の効果】
【００１５】
本発明のブロック壁の転倒防止杭及びブロック壁の構築方法によれば、埋設部材の打込筋とフィンとを地中に打ち込んで埋設し、埋設部材に連結されている支持筋に、複数のブロックを挿通させるので、埋設部材及び支持筋の地面に対する支持強度が高くなり、そのため、支持筋が傾こうとしても埋設部材の抵抗により傾きにくくなっており、各ブロックが地面に対して強固に固定されることになるので、ブロック壁を支持する際の安定性を向上させることができる。
【発明を実施するための最良の形態】
【００１６】
以下、添付図面に基づいて本発明の実施の形態に係るブロック壁の転倒防止杭及びブロック壁の構築方法を説明する。
先ず、本発明の実施の形態に係るブロック壁の転倒防止杭について説明する。図１乃至図４に示すように、本転倒防止杭Ｋは、地面から水平方向及び垂直方向に複数のブロック５０が列設されて形成されるブロック壁Ｈを支持してブロック壁Ｈの転倒を防止するものであり、地中に打ち込まれて埋設される埋設部材１と、埋設部材１に連結手段４０を介して連結されブロック内に挿通される支持筋３０とを備えて構成されている。
【００１７】
埋設部材１は、棒状に形成され地中に打ち込まれる打込筋１０と、打込筋１０の外側面１１に打込筋１０の中心軸１２を中心に放射状に突設された複数のフィン２０とを備えて構成されている。
打込筋１０は、図１乃至図４に示すように、円柱状に形成され、下端１３が鋭頭に形成されている。また、この打込筋１０の上端部１４には、連結手段４０を構成する雌ネジ４１が形成されている。
フィン２０は、図１乃至図４に示すように、板状の矢羽状に形成され、打込筋１０の上端部１４側に等角度関係で複数設けられている。実施の形態では、打込筋１０の外側面１１から十字状に４枚突設されている。
【００１８】
支持筋３０は、図１及び図２に示すように、円柱状の棒状に形成されている。また、この支持筋３０の下端３１には、連結手段４０を構成する雄ネジ４２が形成されている。実施の形態では、この支持筋３０の周面全面に雄ネジ４２が形成されている。この雄ネジ４２は、打込筋１０の雌ネジ４１に螺合するもので、打込筋１０の雌ネジ４１に支持筋１０の雄ネジ４２を螺合させることにより、埋設部材１と支持筋３０とを連結させている。また、実施の形態では、図２に示すように、支持筋３０に、棒状に形成された補助筋３３が連設されている。この補助筋３３は、支持筋３０の長さよりも長く形成され、一端が地面に当接若しくは埋設されている。支持筋３０と補助筋３３との連設は、例えば、鉄線３４等を用いて、支持筋３０の上端３２側と補助筋３３とを固着することにより行なわれる。
【００１９】
次に、本発明の実施の形態に係るブロック壁の構築方法について説明する。本構築方法は、上記のように構成されたブロック壁の転倒防止杭Ｋを複数用いて行なわれる。
図５に示すように、本構築方法に係るブロック壁Ｈは、空洞ブロック５１と、横筋用空洞ブロック５２と、外側用空洞ブロック５３と、外側横筋用空洞ブロック５４とを備えて構成されている。
【００２０】
空洞ブロック５１は、図５（Ａ）に示すように、上面５５，下面５６及び左右両側面５７ａ，５７ｂを有した直方体状に形成され、内部及び左右両側面５７ａ，５７ｂに垂直方向に貫通する縦凹所５８が形成されている。また、左右両側面５７ａ，５７ｂに設けられた縦凹所５８は、断面略半球状に形成されている。
横筋用空洞ブロック５２は、図５（Ｂ）に示すように、空洞ブロック５１の上面５５に、水平方向に貫通する横凹所５９を有して形成されている。
外側用空洞ブロック５３は、図５（Ｃ）に示すように、空洞ブロック５１の左右両側面５７ａ，５７ｂのいずれか一側面が平面に形成されている。また、右側面５７ａが平面に形成されたものと、左側面５７ｂが平面に形成されたものとは、同じ数使用されている。
外側横筋用空洞ブロック５４は、図５（Ｄ）に示すように、横筋用空洞ブロック５２の左右両側面５７ａ，５７ｂのいずれか一側面が平面に形成されている。また、右側面５７ａが平面に形成されたものと、左側面５７ｂが平面に形成されたものとは、同じ数使用されている。
【００２１】
従って、この実施の形態に係るブロック壁を構築するときは、以下のようにする。図１及び図６乃至図９に示す図に従って説明する。
先ず、図６（Ａ）に示すように、各転倒防止杭Ｋの埋設部材１を、構築に係るブロック壁Ｈの下面に沿うように所定間隔で地面に打ち込んで地中に埋設する。このとき、埋設部材１の打込筋１０の下端１３が鋭頭に形成されており、フィン２０が矢羽状に形成されているので、埋設部材１を容易に打ち込むことができる。
【００２２】
次に、図６（Ｂ）に示すように、各埋設部材１に支持筋３０を連結する。埋設部材１の打込筋１０の上端部１４に形成された雌ネジ４１に、支持筋３０の雄ネジ４２を螺合させて連結する。螺合させるだけで連結させることができるので、比較的容易に連結させることができる。また、埋設部材１を打ち込んでから支持筋３０を連結させるので、埋設部材１を容易に打ち込むことができ、それだけ、転倒防止杭Ｋの立設が容易になる。このとき、支持筋３０の長さよりも高くブロック壁Ｈを構築する場合は、図６（Ｃ）に示すように、支持筋３０に補助筋３３を連設し、この補助筋３３を、各ブロック５０の縦凹所５８に挿通させて列設する。詳しくは、補助筋３３の一端を地面に当接若しくは埋設させ、例えば、鉄線３４等を用いて、支持筋３０の上端３２側と補助筋３３とを固着して連設させる。実施の形態では、支持筋３３の長さよりも高くブロック壁Ｈを構築するようになるので、補助筋３３を用いた構成としている。
【００２３】
それから、図６（Ｃ）に示すように、構築に係るブロック壁Ｈの下面に沿うように、地面に所定厚さのモルタルＭを敷設して基礎６０を形成する。モルタルＭを敷設した後、表面が平面になるように仕上げる。基礎６０を形成することにより、構築に係るブロック壁Ｈを地面に対して安定して構築することができる。
【００２４】
次に、図７（Ｄ）に示すように、複数のブロック５０を、各ブロック５０の縦凹所５８に転倒防止杭Ｋの支持筋３０を挿通させて列設する。実施の形態では、各ブロック５０の左右両側面５７ａ，５７ｂに形成された縦凹所５８に支持筋３０を挿通させている。先ず、基礎６０に空洞ブロック５１の下面５６が当接するようにして、各空洞ブロック５１を水平方向に列設していく。このとき、隣接する各空洞ブロック５１間に微小な間隙５０ａが形成されるように列設していく。また、構築に係るブロック壁Ｈの右側面に位置されるブロック５０には、右側面５７ａが平面に形成された外側用空洞ブロック５３を用い、構築に係るブロック壁Ｈの左側面に位置されるブロック５０には、左側面５７ｂが平面に形成された外側用空洞ブロック５３を用いる。実施の形態では、この状態において、二つのブロック５０毎に支持筋３０が挿通されるようになる。このように、空洞ブロック５１と外側用空洞ブロック５３とを水平方向に列設させて空洞ブロック群７０を形成する。
【００２５】
次に、図７（Ｅ）に示すように、空洞ブロック群７０の上面５５にモルタルＭを塗布し、それから、空洞ブロック群７０の上面５５に、横筋用空洞ブロック５２と外側横筋用空洞ブロック５４とを列設していく。各空洞ブロック５１の上面５５と各横筋用空洞ブロック５２の下面５６とを対向させて列設していく。同様に、各外側用空洞ブロック５３と各外側横筋用空洞ブロック５４とを列設する。このように、横筋用空洞ブロック５２と外側横筋用空洞ブロック５４とを水平方向に列設させて横筋用空洞ブロック群８０を形成する。
【００２６】
それから、図８に示すように、この横筋用空洞ブロック群８０の上面５５に形成される横凹所５９の列に、横筋９０を配設する。そして、横筋９０を、支持筋３０に、例えば、鉄線９１等を用いて固着する。固着後、横凹所５９の列にモルタルＭを充填する。
【００２７】
そして、図１に示すように、横筋用空洞ブロック群８０の上面５５に、空洞ブロック群７０を列設し、その上面５５に横筋用空洞ブロック群８０を列設する。このように、地面から垂直方向に、所定高さまで、空洞ブロック群７０と横筋用空洞ブロック群８０とを交互に列設していく。即ち、横筋９０は、二段毎に配設されるようになる。
【００２８】
その後、図９に示すように、支持筋３０及び補助筋３３が挿通された縦凹所５８にモルタルＭを充填する。このとき、水平方向に列設された各ブロック５０間には、微小な間隙５０ａが形成されているので、縦凹所５８に充填されたモルタルＭは、この間隙５０ａから漏出されるようになる。
【００２９】
そして、各ブロック５０間の目地からはみ出しているモルタルＭを掻き落として、例えば、目地ごて等で目地を押さえる。これにより、各ブロック５０の結着性が向上させられる。
モルタルＭが凝固するまで養生して、ブロック壁Ｈを完成させる。
【００３０】
この状態においては、埋設部材１は、打込筋１０の中心軸１２を中心に放射状のフィン２０を備えているので、埋設部材１が中心軸１２を中心に回転することがなく、また、フィン２０の抵抗により傾きにくく、地面に対する支持強度が向上させられる。そのため、この埋設部材１に連結された支持筋３０も埋設部材１の抵抗により傾きにくくなっており、地面に対して強固に固定されることになるので、それだけ、ブロック壁Ｈを支持する際の安定性を向上させることができる。更に、支持筋３０の下端３１側が基礎６０によって固定されるので、この点でも、支持筋３０が傾きにくくなり、地面に対して強固に固定されることになるので、それだけ、ブロック壁Ｈを支持する際の安定性を向上させることができる。即ち、複数のブロック５０で形成されたブロック壁Ｈが転倒しようとしても、転倒防止杭Ｋの支持強度が高いので、ブロック壁Ｈの転倒が確実に防止される。
【００３１】
また、複数のブロック５０で形成されたブロック壁Ｈは、全てのブロック５０がモルタルＭによって結着されているので、転倒防止杭Ｋと相俟って、ブロック壁Ｈに衝撃が加えられても崩れることがない。更に、縦凹所５８にモルタルＭが充填されるので、支持筋３０とブロック５０とをモルタルＭを介して結着させることができ、そのため、転倒防止杭Ｋとブロック５０との結合強度が高く、この点でも、ブロック壁Ｈの転倒を確実に防止することができる。更に、横筋９０を配設したので、各ブロック５０の結着がより強固になる。また、横筋９０を支持筋３０に固着させることにより、横筋９０が支持筋３０に支持されるようになるので、ブロック壁Ｈの強度がより一層向上させられる。更に、補助筋３３を用いて構成したので、この補助筋３３が支持筋３０と同様の作用をし、そのため、支持筋３０の長さよりも高くブロック壁Ｈを構築しても、ブロック壁Ｈを確実に支持することができる。この補助筋３３は、支持筋３０に固着され、一端が基礎６０によって固定されているので、補助筋３３が傾きにくくなり、地面に対して強固に固定されることになるので、この点でも、ブロック壁Ｈを確実に支持することができる。
【００３２】
尚、ブロック壁Ｈの上端形成においては、ブロック壁Ｈの最上段を横筋用空洞ブロック群８０で構成し、補助筋３３の上端を湾曲させてＵ字状に形成し、横凹所５９にＵ字状に形成された補助筋３３の間を通して横筋９０を配設し、その後、横凹所５９にモルタルＭを充填して、ブロック壁Ｈを完成させるようにしても良い。この場合、ブロック壁Ｈが転倒しようとしても、Ｕ字状に形成された補助筋３３の間を通して横筋９０が配設されているので、支持筋３０及び補助筋３３がブロック壁Ｈから抜け出ることがより確実に防止され、そのため、転倒防止杭Ｋの効果が確実に発揮されるので、ブロック壁Ｈの転倒がより確実に防止される。
【００３３】
尚また、上記実施の形態において、連結手段４０を上記の構成としたが、必ずしもこれに限定されるものではなく、埋設部材と支持筋とを連結できれば良く、適宜変更して差支えない。
また、上記実施の形態において、フィン２０を矢羽状に形成したが、必ずしもこれに限定されるものではなく、どのような形状でも良く、適宜変更して差支えない。また、フィンの枚数や互いの角度関係も上記に限定されないことは勿論である。
更に、上記実施の形態において、支持筋３０を二つのブロック５０毎に挿通されるように立設したが、必ずしもこれに限定されるものではなく、全てのブロック毎に挿通されるように立設しても良く、適宜変更して差支えない。
【００３４】
また、上記実施の形態において、支持筋３０に補助筋３３を連設したが、必ずしもこれに限定されるものではなく、補助筋を用いなくても良く、適宜変更して差支えない。
更に、上記実施の形態において、ブロック壁Ｈを空洞ブロック群７０と横筋用空洞ブロック群８０とで構成したが、必ずしもこれに限定されるものではなく、横筋用空洞ブロック群のみで構成しても良く、適宜変更して差支えない。
更にまた、上記実施の形態において、空洞ブロック群７０と横筋用空洞ブロック群８０とを交互に列設させたが、必ずしもこれに限定されない。
【図面の簡単な説明】
【００３５】
【図１】本発明の実施の形態に係るブロック壁の転倒防止杭を、その使用状態とともに示す図である。
【図２】本発明の実施の形態に係るブロック壁の転倒防止杭を示す斜視図である。
【図３】本発明の実施の形態に係る埋設部材を示す平面図である。
【図４】本発明の実施の形態に係る埋設部材を示す側面図である。
【図５】本発明の実施の形態に係るブロックを示し、（Ａ）は空洞ブロック，（Ｂ）は横筋用空洞ブロック，（Ｃ）は外側用空洞ブロック，（Ｄ）は外側横筋用空洞ブロックを示す斜視図である。
【図６】本発明の実施の形態に係るブロック壁の構築方法に係り、（Ａ）は埋設部材を地面に打ち込んだ状態，（Ｂ）は支持筋を埋設部材に連結させた状態，（Ｃ）は基礎を形成した状態を示す図である。
【図７】本発明の実施の形態に係るブロック壁の構築方法に係り、（Ｄ）は空洞ブロック群を形成した状態，（Ｅ）は横筋用空洞ブロック群を形成した状態を示す図である。
【図８】本発明の実施の形態に係るブロック壁の構築方法に係り、横筋を配設した状態及び横凹所にモルタルを充填した状態を示す斜視図である。
【図９】本発明の実施の形態に係るブロック壁の構築方法に係り、支持筋が挿通された状態及び縦凹所にモルタルを充填した状態を示す斜視図である。
【図１０】従来のブロック壁の転倒防止杭及びブロック壁の構築方法の一例を示す図である。
【符号の説明】
【００３６】
Ｋ  ブロック壁の転倒防止杭
Ｈ  ブロック壁
Ｍ  モルタル
１  埋設部材
１０  打込筋
１１  外側面
１２  中心軸
１３  下端
１４  上端部
２０  フィン
３０  支持筋
３１  下端
３２  上端
３３  補助筋
３４  鉄線
４０  連結手段
４１  雌ネジ
４２  雄ネジ
５０  ブロック
５０ａ  間隙
５１  空洞ブロック
５２  横筋用空洞ブロック
５３  外側用空洞ブロック
５４  外側横筋用空洞ブロック
５５  上面
５６  下面
５７ａ  右側面
５７ｂ  左側面
５８  縦凹所
５９  横凹所
６０  基礎
７０  空洞ブロック群
８０  横筋用空洞ブロック群
９０  横筋
９１  鉄線
【図１】
2009203692.tif 000003
【図２】
2009203692.tif 000004
【図３】
2009203692.tif 000005
【図４】
2009203692.tif 000006
【図５】
2009203692.tif 000007
【図６】
2009203692.tif 000008
【図７】
2009203692.tif 000009
【図１０】
2009203692.tif 000010
【図８】
2009203692.tif 000011
【図９】
2009203692.tif 000012